(57)【要約】【課題】情報伝達性と携帯性の両方を備えつつ、大量のデータを保持して即時に第三者にデータを渡すこと。【解決手段】電子ペーパ１２０は、電気的に表示対象データの表示および消去が可能な表示部１２１と、制御装置１１０とデータの送受信を行うＵＳＢ  Ｉ／Ｆ６０４ｂと、を備え、制御装置１１０は、表示対象データを記憶する記憶部６０２と、表示部に対して、記憶部６０２に記憶された表示対象データの表示制御を行う表示制御部６０１と、電子ペーパ１２０とデータの送受信を行うＵＳＢ  Ｉ／Ｆ６０４ａと、を備えた。【選択図】        図６
2007249512.tif 000002
【特許請求の範囲】
【請求項１】
表示対象データの表示が可能な表示装置と、処理の制御を行う制御装置とを備えた情報処理装置であって、
前記表示装置は、
電気的に表示対象データの表示および消去が可能な表示部と、
前記制御装置とデータの送受信を行う第１の通信手段と、
前記制御装置は、
前記表示対象データを記憶する記憶手段と、
前記表示部に対して、前記記憶手段に記憶された前記表示対象データの表示制御を行う表示制御手段と、
前記表示装置とデータの送受信を行う第２の通信手段と、
を備えたことを特徴とする情報処理装置。
【請求項２】
表示対象データの表示が可能な表示装置と、処理の制御を行う制御装置とを備えた情報処理装置であって、
前記表示装置は、
前記表示対象データを記憶する記憶手段と、
電気的に前記表示対象データの表示および消去が可能な表示部と、
前記制御装置とデータの送受信を行う第１の通信手段と、
前記制御装置は、
前記表示部に対して、前記記憶手段に記憶された前記表示対象データの表示制御を行う表示制御手段と、
前記表示装置とデータの送受信を行う第２の通信手段と、
を備えたことを特徴とする情報処理装置。
【請求項３】
表示対象データの表示が可能な表示装置と、処理の制御を行う制御装置とを備えた情報処理装置であって、
前記表示装置は、
電気的に前記表示対象データの表示および消去が可能な表示部と、
前記表示部に対して、前記制御装置に記憶された前記表示対象データの表示制御を行う表示制御手段と、
前記制御装置とデータの送受信を行う第１の通信手段と、
前記制御装置は、
前記表示対象データを記憶する記憶手段と、
前記表示装置とデータの送受信を行う第２の通信手段と、
を備えたことを特徴とする情報処理装置。
【請求項４】
前記第１の通信手段および前記第２の通信手段は、ＵＳＢインタフェースであることを特徴とする請求項１〜３のいずれか一つに記載の情報処理装置。
【請求項５】
前記第１の通信手段および前記第２の通信手段は、無線通信インタフェースであることを特徴とする請求項１〜３のいずれか一つに記載の情報処理装置
【請求項６】
表示対象データを記憶する記憶手段と、
電気的に表示対象データの表示および消去が可能な表示部を有する表示装置の前記表示部に対して、前記記憶手段に記憶された前記表示対象データの表示制御を行う表示制御手段と、
前記表示装置とデータの送受信を行う通信手段と、
を備えたことを特徴とする制御装置。
【請求項７】
表示対象データを記憶する記憶手段と、電気的に表示対象データの表示および消去が可能な表示部とを有する表示装置の前記表示部に対して、前記記憶手段に記憶された前記表示対象データの表示制御を行う表示制御手段と、
前記表示装置とデータの送受信を行う通信手段と、
を備えたことを特徴とする制御装置。
【請求項８】
前記通信手段は、ＵＳＢインタフェースであることを特徴とする請求項６又は７に記載の制御装置
【請求項９】
前記表示装置を機械的に接続する接続部を更に備えたことを特徴とする請求項６〜８のいずれか一つに記載の制御装置。
【請求項１０】
前記接続部は、前記表示装置の端部を嵌合することを特徴とする請求項９に記載の制御装置。
【請求項１１】
前記接続部は、前記表示装置の端部を弾性力によって押圧する弾性部材と、前記弾性部材によって押圧された前記表示装置を挟持する挟持部材と、を備えたことを特徴とする請求項９に記載の制御装置。
【請求項１２】
前記接続部は、前記表示装置の端部をスライド移動可能であって、前記表示装置の端部を挟持することを特徴とする請求項９に記載の制御装置。
【請求項１３】
前記接続部は、異なるサイズの前記表示装置を接続可能であることを特徴とする請求項９に記載の制御装置。
【請求項１４】
前記接続部は、複数の前記表示装置を同時に接続可能であることを特徴とする請求項９に記載の制御装置。
【請求項１５】
前記通信手段は、無線通信インタフェースであることを特徴とする請求項６又は７に記載の制御装置。
【請求項１６】
表示対象データを記憶する記憶手段と、
電気的に前記表示対象データの表示および消去が可能な表示部と、
前記表示部に対して、前記記憶手段に記憶された前記表示対象データの表示制御を行う制御装置とデータの送受信を行う通信手段と、
を備えたことを特徴とする表示装置。
【請求項１７】
電気的に表示対象データの表示および消去が可能な表示部と、
前記表示部に対して、制御装置に記憶された前記表示対象データの表示制御を行う表示制御手段と、
前記制御装置とデータの送受信を行う通信手段と、
を備えたことを特徴とする表示装置。
【請求項１８】
前記通信手段は、ＵＳＢインタフェースであることを特徴とする請求項１６又は１７に記載の表示装置。
【請求項１９】
前記通信手段は、無線通信インタフェースであることを特徴とする請求項１６又は１７に記載の表示装置。
【請求項２０】
表示対象データを記憶する記憶手段と、
電気的に表示対象データの表示および消去が可能な表示部と、
前記表示部に対して、前記記憶手段に記憶された前記表示対象データの表示制御を行う表示制御手段と、
を備えたことを特徴とする表示装置。
【請求項２１】
電気的に表示対象データの表示および消去が可能な表示部を備えた表示装置と、処理の制御を行う制御装置との間で行われる表示制御方法であって、
前記制御装置において、前記表示部に対して、前記制御装置の記憶手段に記憶された表示対象データの表示制御を行う表示制御ステップ、
を含むことを特徴とする表示制御方法。
【請求項２２】
電気的に表示対象データの表示および消去が可能な表示部を備えた表示装置と、処理の制御を行う制御装置との間で行われる表示制御方法であって、
前記制御装置において、前記表示部に対して、前記表示装置の記憶手段に記憶された表示対象データの表示制御を行う表示制御ステップ、
を含むことを特徴とする表示制御方法。
【請求項２３】
電気的に表示対象データの表示および消去が可能な表示部を備えた表示装置と、処理の制御を行う制御装置との間でで行われる表示制御方法であって、
前記表示装置において、前記表示部に対して、前記制御装置の記憶手段に記憶された表示対象データの表示制御を行う表示制御ステップ、
を含むことを特徴とする表示制御方法。
【請求項２４】
電気的に表示対象データの表示および消去が可能な表示部を備えら表示装置で行われる表示制御方法であって、
前記表示部に対して、記憶手段に記憶された表示対象データの表示制御を行う表示制御ステップ、
を含むことを特徴とする表示制御方法。
【請求項２５】
請求項２１〜２４に記載の方法をコンピュータに実行させるプログラム。
【発明の詳細な説明】
【技術分野】
【０００１】
本発明は、表示対象データの表示が可能な表示装置と、表示装置に対する処理の制御を行う制御装置とを備えた情報処理装置、表示装置、制御装置、表示制御方法およびプログラムに関し、特に、電気的に表示対象データの表示および消去が可能な表示部を有する表示装置と表示装置に対する表示処理の制御に関する。
【背景技術】
【０００２】
従来から、情報伝達媒体とし紙媒体が使用されているが、このような紙媒体は、物理的な印刷情報しか保持することができず、多数の紙媒体により情報伝達を行う場合には、携帯性が低下するという問題がある。
【０００３】
一方、携帯性に優れた情報伝達の手段として、ノート型ＰＣ（Personal Computer）が普及している。しかしながら、ノート型ＰＣは、携帯性には優れているが、電源の確保が必要である他、情報を他人に伝達するためには電子メール等の別途の手段を使用しなければならず、情報伝達の作業が煩雑になる。
【０００４】
さらに、近年、情報の保持手段としてＵＳＢメモリが普及している。このＵＳＢメモリは、データを保持できる安価で手軽な記憶媒体であるが、ＵＳＢメモリに保存されたデータを直接表示することはできず、情報の伝達性に乏しい。
【０００５】
このため、データを表示させる柔軟性を有するペーパ状のディスプレイ、すなわち電子ペーパが近年開発されている（例えば、特許文献１および特許文献２参照）。
【０００６】
【特許文献１】特開２００３−１２２２６６号公報
【特許文献２】特表２００２−５４３６２５号公報
【発明の開示】
【発明が解決しようとする課題】
【０００７】
しかしながら、このような従来の電子ペーパでは、データをペーパ状のディスプレイに表示することにより情報伝達性を備えてはいるが、多数のデータを表示するためには大量のデータを保存したり、ディスプレイに対する表示制御を行う装置が必要でかつ過大なものとなる。
【０００８】
このため、このような電子ペーパおよび表示制御を行う過大な装置とを同時に携帯する必要があり、結局は、携帯性にかけ、またデータを即時に渡すことが困難であるという問題がある。
【０００９】
本発明は、上記に鑑みてなされたものであって、情報伝達性と携帯性の両方を備えつつ、大量のデータを保持して即時に第三者にデータを渡すことができる情報処理装置、表示装置、制御装置、表示制御方法およびプログラムを提供することを目的とする。
【課題を解決するための手段】
【００１０】
上述した課題を解決し、目的を達成するために、本発明は、表示対象データの表示が可能な表示装置と、処理の制御を行う制御装置とを備えた情報処理装置であって、前記表示装置は、電気的に表示対象データの表示および消去が可能な表示部と、前記制御装置とデータの送受信を行う第１の通信手段と、前記制御装置は、前記表示対象データを記憶する記憶手段と、前記表示部に対して、前記記憶手段に記憶された前記表示対象データの表示制御を行う表示制御手段と、前記表示装置とデータの送受信を行う第２の通信手段と、を備えたことを特徴とする。
【００１１】
また、本発明は、表示対象データの表示が可能な表示装置と、処理の制御を行う制御装置とを備えた情報処理装置であって、前記表示装置は、前記表示対象データを記憶する記憶手段と、電気的に前記表示対象データの表示および消去が可能な表示部と、前記制御装置とデータの送受信を行う第１の通信手段と、前記制御装置は、前記表示部に対して、前記記憶手段に記憶された前記表示対象データの表示制御を行う表示制御手段と、前記表示装置とデータの送受信を行う第２の通信手段と、を備えたことを特徴とする。
【００１２】
また、本発明は、表示対象データの表示が可能な表示装置と、処理の制御を行う制御装置とを備えた情報処理装置であって、前記表示装置は、電気的に前記表示対象データの表示および消去が可能な表示部と、前記表示部に対して、前記制御装置に記憶された前記表示対象データの表示制御を行う表示制御手段と、前記制御装置とデータの送受信を行う第１の通信手段と、前記制御装置は、前記表示対象データを記憶する記憶手段と、前記表示装置とデータの送受信を行う第２の通信手段と、を備えたことを特徴とする。
【００１３】
また、本発明は、表示対象データを記憶する記憶手段と、電気的に表示対象データの表示および消去が可能な表示部を有する表示装置の前記表示部に対して、前記記憶手段に記憶された前記表示対象データの表示制御を行う表示制御手段と、前記表示装置とデータの送受信を行う通信手段と、を備えたことを特徴とする。
【００１４】
また、本発明は、表示対象データを記憶する記憶手段と、電気的に表示対象データの表示および消去が可能な表示部とを有する表示装置の前記表示部に対して、前記記憶手段に記憶された前記表示対象データの表示制御を行う表示制御手段と、前記表示装置とデータの送受信を行う通信手段と、を備えたことを特徴とする制御装置である。
【００１５】
また、本発明は、表示対象データを記憶する記憶手段と、電気的に前記表示対象データの表示および消去が可能な表示部と、前記表示部に対して、前記記憶手段に記憶された前記表示対象データの表示制御を行う制御装置とデータの送受信を行う通信手段と、を備えたことを特徴とする表示装置である。
【００１６】
また、本発明は、電気的に表示対象データの表示および消去が可能な表示部と、前記表示部に対して、制御装置に記憶された前記表示対象データの表示制御を行う表示制御手段と、前記制御装置とデータの送受信を行う通信手段と、を備えたことを特徴とする表示装置である。
【００１７】
また、本発明は、表示対象データを記憶する記憶手段と、電気的に表示対象データの表示および消去が可能な表示部と、前記表示部に対して、前記記憶手段に記憶された前記表示対象データの表示制御を行う表示制御手段と、を備えたことを特徴とする表示装置である。
【００１８】
また、本発明は、上記各装置で実行される方法およびプログラムである。
【発明の効果】
【００１９】
また、本発明によれば、表示装置に備えられた、電気的に表示対象データの表示および消去が可能な表示部に対し、制御装置の記憶手段に記憶された表示対象データを読み出して第１の通信手段および第２の通信手段を介して表示する表示制御を行っているので、携帯性を有する情報処理装置を使用して情報伝達を確実に行うことができ、情報伝達性と携帯性の両方を備えつつ、大量のデータを保持して即時に第三者にデータを渡すことができるという効果を奏する。
【００２０】
また、本発明によれば、表示装置に備えられた、電気的に表示対象データの表示および消去が可能な表示部に対し、表示装置の記憶手段に記憶された表示対象データを読み出して第１の通信手段および第２の通信手段を介して表示する表示制御を行っているので、携帯性を有する情報処理装置を使用して情報伝達を確実に行うことができ、情報伝達性と携帯性の両方を備えつつ、大量のデータを保持して即時に第三者にデータを渡すことができるという効果を奏する。また、本発明では、表示対象データを記憶する記憶手段が、表示装置に設けられているので、表示装置に大量の表示対象データを保持した状態で第三者に表示装置を渡すことができ、情報の伝達性をさらに向上させることができるという効果を奏する。
【００２１】
また、本発明によれば、表示装置に備えられた、電気的に表示対象データの表示および消去が可能な表示部に対し、表示装置側の表示制御手段により第１の通信手段および第２の通信手段を介して制御装置の記憶部に記憶された表示対象データを読み出して表示する表示制御を行っているので、情報伝達性と携帯性の両方を備えつつ、大量のデータを保持して即時に第三者にデータを渡すことができるという効果を奏する。また、本発明では、表示制御手段が表示装置に設けられているので、制御装置としてＵＳＢメモリなどの記憶媒体を使用して汎用性をもたせることができるという効果を奏する。
【００２２】
また、本発明によれば、表示装置に表示部、記憶部および表示制御部を備え、電気的に表示対象データの表示および消去が可能な表示部に対し、表示制御部によって、記憶部に記憶された表示対象データを読み出して表示する表示制御を行っているので、情報伝達性と携帯性の両方を備えつつ、大量のデータを保持して即時に第三者にデータを渡すことができるという効果を奏する。また、本発明では、表示部、表示制御手段および記憶部が単一の表示装置に設けられているので、表示対象データを表示装置ごと表示制御可能な状態で第三者に渡すことができ、情報の伝達性をより向上させることができるという効果を奏する。
【発明を実施するための最良の形態】
【００２３】
以下に添付図面を参照して、この発明にかかる情報処理装置、表示装置、制御装置、表示制御方法およびプログラムの最良な実施の形態を詳細に説明する。
【００２４】
（実施の形態１）
図１は、実施の形態１にかかる情報処理装置１００の構成を示す模式図である。また、図２は、図１の実施の形態１にかかる情報処理装置１００の側面図である。図１に示すように、本実施の形態にかかる情報処理装置１００は、電子ペーパー１２０および制御装置１１０によって構成されている。電子ペーパー１２０は、１０分の数ミリ程度の厚さで、電気的な手段でデータの表示および消去が可能な表示部１２１を有している。また、電子ペーパー１２０は、紙媒体に印刷するハードコピーが有する「見易さ、持ち運び易さ」に加え、表示部の画面に写し出すソフトコピーが有する「デジタル情報との結合・書き換え性」や省紙資源を実現するものと期待されている反射型表示媒体であり、従来の画像表示装置にはない極薄、柔軟性という特性がある。制御装置１１０は、電子ペーパー１２０の画面に表示されている表示対象データの表示制御を行うものであり、本体部１１１と、取り付け部１１２とで主に構成されている。取り付け部１１２は、電子ペーパー１２０を装着するものである。図２で示すように、制御装置１１０は、本体部１１１と取り付け部１１２とで電子ペーパー１２０の端部を挟持することによって、電子ペーパー１２０を装着し、また、この挟持状態を解除することによって、電子ペーパー１２０を取り外し、着脱可能としている。図３は、電子ペーパ１２０を制御装置１１０から取り外した状態を示す模式図である。電子ペーパ１２０の表示部１２１は、柔軟な板状部材１２１に装着された構造となっており、板状部材１２１とともに湾曲可能な素材で形成され、表示対象データを表示及び消去を行うものである。
【００２５】
板状部材１２２には、電子ペーパ１２０を取り付け部１２１に装着するため、制御装置１１０の突起部（図示せず）が嵌められる孔部３０１が、図３における右側端部と下側端部にそれぞれ３個ずつ穿孔されている。
【００２６】
板状部材には、制御装置１１０の電極部（図示せず）の位置に対応して設けられた電極部３０２が図３における右側端部と下側端部にそれぞれ３個ずつ設けられている。これらの電極部３０２は、制御装置１１０の電極部と接触して、制御装置１１０から送出されるデータを受信する。なお、かかる電極部３０２と制御装置１１０の電極部とはＵＳＢインタフェースによりデータの通信を行う。
【００２７】
図４は、電子ペーパ１２０の表示部１２１の内部構造を示す断面図である。電子ペーパ１２０の表示部１２１は、図４に示すように、紙、プラスチック等の可撓性を有する基材４０１上に、ポリエチレンテレフタレート（ＰＥＴ）、ポリエチレンナフタレート（ＰＥＮ）、ポリイミド等の寸法安定性の優れたプラスチックフィルムに導電性層が形成されている電極フィルム４０２、画像表示層４０３、ポリエチレンテレフタレート（ＰＥＴ）、ポリエチレンナフタレート（ＰＥＮ）、ポリイミド等の寸法安定性の優れ透明なプラスチックフィルムに図示しないアクティブマトリックス電極、セグメント電極又は単純マトリックス電極が形成されている透明電極フィルム４０４及びこの表示部を保護するＵＶカット兼保護層４０５が積層された構造となっている。表示部１２１は、このような構造となっているため、電源を切断しても表示部１２１の表示画面は、表示された状態を維持する。
【００２８】
次に、電子ペーパ１２０と制御装置１１０の取り付け方法について説明する。図５は、電子ペーパ１２０と制御装置１１０の取り付け方法を説明するための模式図である。制御装置１１０の本体部１１１の取り付け部１１２側上面には、図５に示すように、突起部５０１が設けられている。そして、取り付け部１１２を上方に回動させた状態で、電子ペーパ１２０の上述した孔部３０２を本体部１１１の突起部５０１に嵌合させる。そして、取り付け部１１２を下方に回動させて電子ペーパ１２０を取り付け部１１２と本体部１１１とで挟持する。これにより、電子ペーパ１２０は制御装置１１０に確実に取り付けられる。このとき、上述したように、制御装置１１０の電極部と電子ペーパの電極部３０１とが接触状態を維持し、制御装置１１０と電子ペーパ１２０との間の表示対象データの送受信が可能となる。
【００２９】
次に、本実施の形態にかかる情報処理装置１００の電子ペーパー１２０および制御装置１１０の機能的構成について説明する。図６は、実施の形態１にかかる情報処理装置１００の電子ペーパー１２０および制御装置１１０の機能的構成を示すブロック図である。
【００３０】
電子ペーパー１２０は、上述した表示部１２１の他、電極部３０２を有するＵＳＢインタフェース部（以下、「ＵＳＢ  Ｉ／Ｆ」という。）６０４ｂを備えている。
【００３１】
一方、制御装置１１０は、操作部６０３と、表示制御部６０１と、記憶部６０２と、ＵＳＢ  Ｉ／Ｆ６０４ａと、図示しない電源部とを備えている。
【００３２】
操作部６０３は、利用者からの操作入力を受け付けるものである。表示制御部は、操作部６０３からの操作入力に応じて電子ペーパ１２０への表示対象データの表示制御を行うものである。記憶部６０２は、表示対象データを記憶するメモリ等の記憶媒体である。ＵＳＢ  Ｉ／Ｆ６０４ａは、電極部（図示せず）を有し、電子ペーパ１２０のＵＳＢ  Ｉ／Ｆ６０４ｂとともに、表示対象データや表示命令などの各種データを電子ペーパ１２０の表示部１２１に送出するインタフェースである。
【００３３】
電源部は、制御装置１１０の各部に電源を供給するものであり、さらにＵＳＢ  Ｉ／Ｆ６０４ａ，６０４ｂを介して電子ペーパ１２０へも電源を供給するようになっている。
【００３４】
次に、以上のように構成された情報処理装置１００による表示対象データの表示処理について説明する。図７は、実施の形態１にかかる情報処理装置１００による表示対象データの表示処理の手順を示すフローチャートである。
【００３５】
まず、制御装置１１０は、操作部６０３から利用者による操作入力を受け付ける（ステップＳ７０１）。次に、表示制御部６０１は、受け付けた操作入力に従って、記憶部６０２から表示対象データを読み出す（ステップＳ７０２）。そして、表示制御部６０１は、読み出した表示対象データをＵＳＢ  Ｉ／Ｆ６０４ａ，６０４ｂを介して電子ペーパ１２０の表示部１２１へ送出して表示する（ステップＳ７０３）。
【００３６】
このように実施の形態１にかかる情報処理装置１００では、電子ペーパ１２０に備えられた、湾曲可能であって、電気的に表示対象データの表示および消去が可能な表示部１１２に対し、制御装置１１０の記憶部６０２に記憶された表示対象データを読み出してＵＳＢ  Ｉ／Ｆ６０４ａ、６０４ｂを介して表示する表示制御を行っているので、情報伝達性と携帯性の両方を備えつつ、大量のデータを保持して即時に第三者にデータを渡すことができる。
【００３７】
本実施の形態にかかる情報処理装置１００では、電子ペーパ１２０側の孔部３０２と制御装置１１０側の突起部５０１とを嵌合させることによって、電子ペーパ１２０と制御装置１１０とを着脱可能に構成しているが、電子ペーパ１２０と制御装置１１０の取り付け方法はこれに限定されるものではなく、両者が着脱可能であり、かつ両者を取り付けた状態で表示対象データの送受信が可能な構成であればよい。
【００３８】
図８は、電子ペーパ１２０と制御装置１１０の第１の変形例の取り付け方法を説明するための模式図である。図８に示すように、制御装置１１０の取り付け部８１２を、軸部８１４を中心に回動可能な支持部８１２と、支持部８１２の電子ペーパ１２０側端部を本体部１１１に付勢するバネ等の弾性部材８１３とで構成する。そして、本体部１１１と支持部８１２との間に電子ペーパ１２０の端部を挿入して、弾性部材８１３で支持部８１２を本体部１１１側に付勢して、挿入された電子ペーパ１２０の端部を挟持することによって、電子ペーパ１２０と制御装置１１０を着脱可能に取り付ける構成としてもよい。この場合には、電子ペーパ１２０に孔部を設ける必要がなくなり、電子ペーパ１２０の構造の簡易化を図ることができる。
【００３９】
図９は、電子ペーパ１２０と制御装置１１０の第２の変形例の取り付け方法を説明するための模式図である。図９に示すように、制御装置１１０に切り欠き部を設け、かかる切り欠き部に電子ペーパ１２０をスライド挿入することによって、電子ペーパ１２０と制御装置１１０を着脱可能に取り付ける構成としてもよい。この場合には、電子ペーパ１２０に孔部を設ける必要がなくなり、さらに制御装置１１０に取り付け部を設ける必要がなくなり、電子ペーパ１２０と制御装置１１０の構造の簡易化を図ることができる。
【００４０】
また、本実施の形態では、電子ペーパ１２０の板状部材の３ヶ所に孔部３０２を設けているが、これに限定されるものではなく、この他１箇所、２箇所、４箇所、６箇所、２６箇所、または３０箇所等、日本ファイル・バインダー協会（File & Binder Association Japan）の定めるＦＢＡ規格等に対応する個数および間隔で設けても良い。 このように、電子ペーパ１２０の孔部の数および間隔をＦＢＡ規格等に対応させて設けることに統一することにより、種種のサイズの電子ペーパ１２０でも制御装置１１０に取り付けることが可能となる。図１０は、電子ペーパ１２０の孔部の数および間隔をＦＢＡ規格等に対応させて設けたことにより、種種のサイズの電子ペーパ１２０が制御装置１１０に取り付け可能になる状態を示す説明図である。
【００４１】
また、本実施の形態にかかる情報処理装置１００では、一枚の電子ペーパ１２０のみを制御装置１１０に取り付けているが、複数の電子ペーパ１２０が制御装置１１０に取り付け可能に制御装置１１０を構成してもよい。図１１は、２枚の電子ペーパ１２０ａ，１２０ｂが制御装置１１０に取り付けされる状態を示す模式図である。
【００４２】
さらに、本実施の形態にかかる情報処理装置１００では、電子ペーパ１２０と制御装置１１０との間のデータ授受を、ＵＳＢ  Ｉ／Ｆ６０４ａ，６０４ｂにより実現しているが、データ送受信が可能なインタフェースであればいずれのインタフェースを用いることができる。例えば、ＩＥＥＥ ８０２．１１ａ，ＩＥＥＥ ８０２．１１ｂ等の無線ＬＡＮのインタフェースにより電子ペーパ１２０と制御装置１１０との間のデータの送受信を行うように構成することができる。
【００４３】
図１２は、無線ＬＡＮのインタフェースにより電子ペーパ１２０と制御装置１１０との間のデータの送受信を行う場合の電子ペーパ１２０と制御装置１１０の機能的構成を示すブロック図である。図１２に示す例では、ＵＳＢ  Ｉ／Ｆの代わりに、ＩＥＥＥ ８０２．１１ａ，ＩＥＥＥ ８０２．１１ｂ等の無線ＬＡＮのインタフェースである無線通信Ｉ／Ｆ１２０４ａ，１２０４ｂがそれぞれ制御装置１１０と電子ペーパ１２２０に設けられている。このような構成を採用することで、電子ペーパ１２２０は完全に制御装置１２１０と分離するので、第三者にデータを受け渡すことがより容易となり、さらに携帯性の向上も図られる。
【００４４】
（実施の形態２）
実施の形態１にかかる情報処理装置１００は、記憶部を制御装置１１０に備えるものであったが、この実施の形態２にかかる情報処理装置は、記憶部を電子ペーパ側に備えたものである。
【００４５】
図１３は、実施の形態２にかかる情報処理装置１３００の構成を示す模式図である。実施の形態２にかかる情報処理装置１３００の外観は、実施の形態１の情報処理装置１００と同様である。
【００４６】
実施の形態２にかかる情報処理装置１３００は、図１３に示すように、電子ペーパー１３２０および制御装置１３１０によって構成されている。本実施の形態では、電子ペーパ１３２０の板状部材の内部に記憶部としてのＲＡＭ１３０２を備えている。
【００４７】
次に、本実施の形態にかかる情報処理装置１３００の電子ペーパー１３２０および制御装置１３１０の機能的構成について説明する。図１４は、実施の形態２にかかる情報処理装置１３００の電子ペーパー１３２０および制御装置１３１０の機能的構成を示すブロック図である。
【００４８】
実施の形態２にかかる電子ペーパ１３２０は、図１４に示すように、表示部１２１と、ＵＳＢ  Ｉ／Ｆ６０４ｂと、記憶部（ＲＡＭ）１３０２を備えている。記憶部１３０２は、表示部１２１へ表示する表示対象データを記憶する記憶媒体である。表示部１２１、ＵＳＢ  Ｉ／Ｆ６０４ｂの機能については実施の形態１の電子ペーパ１２０と同様である。
【００４９】
一方、制御装置１３１０は、操作部６０３と、表示制御部６０１と、ＵＳＢ  Ｉ／Ｆ６０４ａと、図示しない電源部とを備えている。本実施の形態の制御装置１３１０には、記憶部が設けられていない点で実施の形態１と異なり、操作部６０３、表示制御部６０１、ＵＳＢ  Ｉ／Ｆ６０４ａ、電源部の機能は実施の形態１と同様である。
【００５０】
次に、以上のように構成された情報処理装置１３００による表示対象データの表示処理について説明する。図１５は、実施の形態２にかかる情報処理装置１３００による表示対象データの表示処理の手順を示すフローチャートである。
【００５１】
まず、制御部１３１０は、操作部６０３から利用者による操作入力を受け付ける（ステップＳ１５０１）。次に、表示制御部６０１は、受け付けた操作入力に従って、ＵＳＢ  Ｉ／Ｆ６０４ａ，６０４ｂを介して電子ペーパ１３２０の記憶部１３０２から表示対象データを読み出す（ステップＳ１５０２）。そして、表示制御部６０１は、読み出した表示対象データをＵＳＢ  Ｉ／Ｆ６０４ａ，６０４ｂを介して電子ペーパ１３２０の表示部１２１へ送出して表示する（ステップＳ１５０３）。
【００５２】
このように実施の形態２にかかる情報処理装置１３００では、電子ペーパ１３２０に備えられた、湾曲可能であって、電気的に表示対象データの表示および消去が可能な表示部１１２に対し、電子ペーパ１３２０の記憶部１３０２に記憶された表示対象データを読み出してＵＳＢ  Ｉ／Ｆ６０４ａ、６０４ｂを介して表示する表示制御を行っているので、情報伝達性と携帯性の両方を備えつつ、大量のデータを保持して即時に第三者にデータを渡すことができる。また、実施の形態２にかかる情報処理装置１３００では、表示対象データを記憶する記憶部が、電子ペーパ１３２０に設けられているので、大量の表示対象データを保持した電子ペーパ１３２０ごと第三者に渡すことができ、情報の伝達性をさらに向上させることができる。
【００５３】
また、本実施の形態にかかる情報処理装置１３００では、例えば、ＩＥＥＥ ８０２．１１ａ，ＩＥＥＥ ８０２．１１ｂ等の無線ＬＡＮのインタフェースにより電子ペーパ１３２０と制御装置１３１０との間のデータの送受信を行うように構成することができる。
【００５４】
図１６は、無線ＬＡＮのインタフェースにより電子ペーパ１３２０と制御装置１３１０との間のデータの送受信を行う場合の電子ペーパ１３２０と制御装置１３１０の機能的構成を示すブロック図である。図１６に示す例では、ＵＳＢ  Ｉ／Ｆの代わりに、ＩＥＥＥ ８０２．１１ａ，ＩＥＥＥ ８０２．１１ｂ等の無線ＬＡＮのインタフェースである無線通信Ｉ／Ｆ１２０４ａ，１２０４ｂがそれぞれ制御装置１６２０と電子ペーパ１６２０に設けられている。
【００５５】
（実施の形態３）
実施の形態１にかかる情報処理装置１００は、表示制御部を制御装置１１０に備えるものであったが、この実施の形態３にかかる情報処理装置は、表示制御部を電子ペーパ側に備えたものである。
【００５６】
図１７は、実施の形態３にかかる情報処理装置１７００の構成を示す模式図である。実施の形態３にかかる情報処理装置１７００の外観は、実施の形態１の情報処理装置１００と同様である。
【００５７】
実施の形態３にかかる情報処理装置１７００は、図１７に示すように、電子ペーパー１７２０および制御装置１７１０によって構成されている。本実施の形態では、電子ペーパ１７２０の板状部材の内部に表示制御プログラムが組み込まれたＲＯＭ（Ｒｅａｄ  Ｏｎｌｙ  Ｍｅｍｏｒｙ）１７０１とＲＡＭ（図示せず）を備えている。
【００５８】
ここで、ＲＡＭは、ＲＯＭに組み込まれた表示制御プログラムを実行したときに、表示制御プログラムが表示制御部として展開されるメモリである。
【００５９】
次に、本実施の形態にかかる情報処理装置１７００の電子ペーパー１７２０および制御装置１７１０の機能的構成について説明する。図１８は、実施の形態３にかかる情報処理装置１７００の電子ペーパー１７２０および制御装置１７１０の機能的構成を示すブロック図である。
【００６０】
実施の形態３にかかる電子ペーパ１７２０は、図１８に示すように、表示部１２１と、ＵＳＢ  Ｉ／Ｆ６０４ｂと、表示制御部１８０１とを備えている。図１８では、ＲＯＭ１７０２に記憶された表示制御プログラムが実行されてＲＡＭ（図示せず）に展開されて表示制御部１８０１として動作している状態を示している。
【００６１】
表示制御部１８０１は、制御装置１７１０に記憶されている表示対象データの表示部１２１に対する表示制御を行うものである。表示部１２１、ＵＳＢ  Ｉ／Ｆ６０４ｂの機能については実施の形態１の電子ペーパ１２０と同様である。
【００６２】
一方、制御装置１７１０は、操作部６０３と、記憶部６０２と、ＵＳＢ  Ｉ／Ｆ６０４ａと、図示しない電源部とを備えている。本実施の形態の制御装置１７１０には、表示制御部が設けられていない点で実施の形態１と異なり、操作部６０３、記憶部６０２、ＵＳＢ  Ｉ／Ｆ６０４ａ、電源部の機能は実施の形態１と同様である。
【００６３】
次に、以上のように構成された情報処理装置１７００による表示対象データの表示処理について説明する。図１９は、実施の形態３にかかる情報処理装置１７００による表示対象データの表示処理の手順を示すフローチャートである。
【００６４】
まず、制御部１７１０は、操作部６０３から利用者による操作入力を受け付け、受け付けた操作入力を電子ペーパへＵＳＢ  Ｉ／Ｆ６０４ｂを介して送出する（ステップＳ１９０１）。次に、電子ペーパ１７２０では、操作入力をＵＳＢ  Ｉ／Ｆ６０４ｂを介して受け取り、表示制御部６０１は、受け取った操作入力に従って、ＵＳＢ  Ｉ／Ｆ６０４ａ，６０４ｂを介して電子ペーパ１７２０の記憶部６０２から表示対象データを読み出す（ステップＳ１９０２）。そして、電子ペーパ１７２０の表示制御部６０１は、読み出した表示対象データをの表示部１２１へ送出して表示する（ステップＳ１９０３）。
【００６５】
このように実施の形態３にかかる情報処理装置１７００では、電子ペーパ１７２０に備えられた、湾曲可能であって、電気的に表示対象データの表示および消去が可能な表示部１１２に対し、電子ペーパ１７２０側の表示制御部１８０１によりＵＳＢ  Ｉ／Ｆ６０４ａ、６０４ｂを介して制御装置１７１０の記憶部６０２に記憶された表示対象データを読み出して表示する表示制御を行っているので、情報伝達性と携帯性の両方を備えつつ、大量のデータを保持して即時に第三者にデータを渡すことができる。実施の形態３にかかる情報処理装置１７００では、表示制御部が電子ペーパ１７２０に設けられているので、制御装置としてＵＳＢメモリなどの記憶媒体を使用して汎用性をもたせることができる。
【００６６】
また、本実施の形態にかかる情報処理装置１７００では、例えば、ＩＥＥＥ ８０２．１１ａ，ＩＥＥＥ ８０２．１１ｂ等の無線ＬＡＮのインタフェースにより電子ペーパ１７２０と制御装置１７１０との間のデータの送受信を行うように構成することができる。
【００６７】
図２０は、無線ＬＡＮのインタフェースにより電子ペーパ１３２０と制御装置１３１０との間のデータの送受信を行う場合の電子ペーパ２０２０と制御装置２０１０の機能的構成を示すブロック図である。図２０に示す例では、ＵＳＢ  Ｉ／Ｆの代わりに、ＩＥＥＥ ８０２．１１ａ，ＩＥＥＥ ８０２．１１ｂ等の無線ＬＡＮのインタフェースである無線通信Ｉ／Ｆ１２０４ａ，１２０４ｂがそれぞれ制御装置２０２０と電子ペーパ２０２０に設けられている。
【００６８】
（実施の形態４）
実施の形態１〜３の情報処理装置は、電子ペーパと制御装置とから構成されていたが、この実施の形態４では、電子ペーパ単体からなるものである。
【００６９】
図２１は、電子ペーパ２１２０の構成を示す模式図である。電子ペーパ２１２０の表示部１２１は、柔軟な板状部材１２１に装着された構造となっており、板状部材１２１とともに湾曲可能な素材で形成され、表示対象データを表示及び消去を行うものである。
【００７０】
実施の形態４にかかる電子ペーパ２１２０は、図２１に示すように、板状部材１２１の内部に表示制御プログラムが組み込まれたＲＯＭ１７０１とＲＡＭ１３０２とを備えている。ＲＡＭ１３０２は、ＲＯＭに組み込まれた表示制御プログラムを実行したときに、表示制御プログラムが表示制御部として展開されるとともに、表示対象データを記憶する記憶部としてのメモリである。電子ペーパ２１２０のその他の外観構成は、図３で説明した実施の形態１の電子ペーパ１２０と同様である。
【００７１】
次に、本実施の形態にかかる電子ペーパ２１２０の機能的構成について説明する。図２２は、実施の形態４にかかる電子ペーパ２１２０の機能的構成を示すブロック図である。
【００７２】
実施の形態４にかかる電子ペーパ２１２０は、図２２に示すように、表示部１２１と、表示制御部１８０１と、記憶部（ＲＡＭ）１３０２と、操作部２２０３と、図示しない電源部とを備えている。図２２では、ＲＯＭ１７０２に記憶された表示制御プログラムが実行されて記憶部（ＲＡＭ）１３０２に展開されて表示制御部１８０１として動作している状態を示している。
【００７３】
記憶部１３０２は、表示対象データを記憶するメモリである。操作部２２０３は、利用者からの操作入力を受け付けるものである。表示制御部１８０１は、操作部２２０３からの操作入力に応じて記憶部１３０２に記憶されている表示対象データの表示部１２１に対する表示制御を行うものである。
【００７４】
次に、以上のように構成された電子ペーパ２１２０による表示対象データの表示処理について説明する。図２３は、実施の形態４にかかる電子ペーパ２１２０による表示対象データの表示処理の手順を示すフローチャートである。
【００７５】
まず、操作部２２０３から利用者による操作入力を受け付ける（ステップＳ２３０１）。次に、表示制御部１８０１は、受け付けた操作入力に従って、記憶部１３０２から表示対象データを読み出す（ステップＳ２３０２）。そして、表示制御部１８０１は、読み出した表示対象データを表示部１２１へ送出して表示する（ステップＳ２２０３）。
【００７６】
このように実施の形態４にかかる電子ペーパ２１２０では、湾曲可能であって、電気的に表示対象データの表示および消去が可能な表示部１１２に対し、表示制御部１８０１によって、記憶部１３０２に記憶された表示対象データを読み出して表示する表示制御を行っているので、情報伝達性と携帯性の両方を備えつつ、大量のデータを保持して即時に第三者にデータを渡すことができる。また、実施の形態４にかかる電子ペーパ２１２０では、表示部、表示制御手段および記憶部が単一の電子ペーパ２１２０に設けられているので、表示対象データを電子ペーパ２１２０ごと表示制御可能な状態で第三者に渡すことができ、情報の伝達性をより向上させることができるという効果を奏する。
【００７７】
実施の形態１および２の制御装置、実施の形態３および４の電子ペーパは、ＣＰＵと、ＲＯＭやＲＡＭを備えたハードウェア構成となっている。
【００７８】
なお、実施の形態１および２の制御装置、実施の形態３および４の電子ペーパで実行される表示制御プログラムは、ＲＯＭ等に予め組み込まれて提供される。
【００７９】
実施の形態１および２の制御装置、実施の形態３および４の電子ペーパで実行される表示制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８０】
さらに、実施の形態１および２の制御装置、実施の形態３および４の電子ペーパで実行される表示制御プログラムを、インターネット等のネットワークに接続されたコンピュータ上に格納し、ネットワーク経由でダウンロードさせることにより提供するように構成しても良い。また、実施の形態１および２の制御装置、実施の形態３および４の電子ペーパで実行される表示制御プログラムをインターネット等のネットワーク経由で提供または配布するように構成しても良い。
【００８１】
実施の形態１および２の制御装置、実施の形態３および４の電子ペーパで実行される表示制御プログラムは、上述した表示制御部を含むモジュール構成となっており、実際のハードウェアとしてはＣＰＵ（プロセッサ）が上記ＲＯＭから表示制御プログラムを読み出して実行することにより表示制御部が主記憶装置上にロードされるようになっている。
【００８２】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００８３】
【図１】実施の形態１にかかる情報処理装置１００の構成を示す模式図である。
【図２】図１の実施の形態１にかかる情報処理装置１００の側面図である。
【図３】電子ペーパ１２０を制御装置１１０から取り外した状態を示す模式図である。
【図４】電子ペーパ１２０の表示部１２１の内部構造を示す断面図である。
【図５】電子ペーパ１２０と制御装置１１０の取り付け方法を説明するための模式図である。
【図６】実施の形態１にかかる情報処理装置１００の電子ペーパー１２０および制御装置１１０の機能的構成を示すブロック図である。
【図７】実施の形態１にかかる情報処理装置１００による表示対象データの表示処理の手順を示すフローチャートである。
【図８】電子ペーパ１２０と制御装置１１０の第１の変形例の取り付け方法を説明するための模式図である。
【図９】電子ペーパ１２０と制御装置１１０の第２の変形例の取り付け方法を説明するための模式図である。
【図１０】電子ペーパ１２０の孔部の数および間隔をＦＢＡ規格等に対応させて設けたことにより、種種のサイズの電子ペーパ１２０が制御装置１１０に取り付け可能になる状態を示す説明図である。
【図１１】２枚の電子ペーパ１２０ａ，１２０ｂが制御装置１１０に取り付けされる状態を示す模式図である。
【図１２】無線ＬＡＮのインタフェースにより電子ペーパ１２０と制御装置１１０との間のデータの送受信を行う場合の電子ペーパ１２０と制御装置１１０の機能的構成を示すブロック図である。
【図１３】実施の形態２にかかる情報処理装置１３００の構成を示す模式図である。
【図１４】実施の形態２にかかる情報処理装置１３００の電子ペーパー１３２０および制御装置１３１０の機能的構成を示すブロック図である。
【図１５】実施の形態２にかかる情報処理装置１３００による表示対象データの表示処理の手順を示すフローチャートである。
【図１６】無線ＬＡＮのインタフェースにより電子ペーパ１３２０と制御装置１３１０との間のデータの送受信を行う場合の電子ペーパ１３２０と制御装置１３１０の機能的構成を示すブロック図である。
【図１７】実施の形態３にかかる情報処理装置１７００の構成を示す模式図である。
【図１８】実施の形態３にかかる情報処理装置１７００の電子ペーパー１７２０および制御装置１７１０の機能的構成を示すブロック図である。
【図１９】実施の形態３にかかる情報処理装置１７００による表示対象データの表示処理の手順を示すフローチャートである。
【図２０】無線ＬＡＮのインタフェースにより電子ペーパ１３２０と制御装置１３１０との間のデータの送受信を行う場合の電子ペーパ２０２０と制御装置２０１０の機能的構成を示すブロック図である。
【図２１】電子ペーパ２１２０の構成を示す模式図である。
【図２２】実施の形態４にかかる電子ペーパ２１２０の機能的構成を示すブロック図である。
【図２３】実施の形態４にかかる電子ペーパ２１２０による表示対象データの表示処理の手順を示すフローチャートである。
【符号の説明】
【００８４】
１００，１３００，１７００  情報処理装置
１１０，１３１０，１７１０  制御装置
１１１  本体部
１１２  取り付け部
１２０，１２０ａ，１２０ｂ，１３２０，１７２０，２１２０  電子ペーパ
１２１  表示部
１２２  板状部材
６０１，１８０１  表示制御部
６０２，１３０２，２１０２  記憶部
６０３，２２０３  操作部
【図１】
2007249512.tif 000003
【図２】
2007249512.tif 000004
【図３】
2007249512.tif 000005
【図４】
2007249512.tif 000006
【図５】
2007249512.tif 000007
【図６】
2007249512.tif 000008
【図７】
2007249512.tif 000009
【図８】
2007249512.tif 000010
【図９】
2007249512.tif 000011
【図１０】
2007249512.tif 000012
【図１１】
2007249512.tif 000013
【図１２】
2007249512.tif 000014
【図１３】
2007249512.tif 000015
【図１４】
2007249512.tif 000016
【図１５】
2007249512.tif 000017
【図１６】
2007249512.tif 000018
【図１７】
2007249512.tif 000019
【図１８】
2007249512.tif 000020
【図１９】
2007249512.tif 000021
【図２０】
2007249512.tif 000022
【図２１】
2007249512.tif 000023
【図２２】
2007249512.tif 000024
【図２３】
2007249512.tif 000025